(57)【要約】      （修正有） 【解決手段】身頃部とこの身頃部１０に設置された袖部２０とを備え、身頃部を構成する前身頃と後身頃との間に身頃側切り返し部５１を設けるとともに袖部の内側に袖側切返し部５２を設け、これらの切返し部を脇の下近傍で対向させるとともに袖側切返し部の対向部を身頃側切り返し部の対向部の外側になる状態で重なるようにした衣服である。【効果】着用者は、衣服内部を露出することなく脇の下の通気性を確保することができるとともに腕の上げ下げがしやすい。さらに、着用者が腕を上げた際にも脇の下の部分は目立たないため、回りの者に対して違和感を与えることはなく見栄えも向上する。身頃側切り返し部と袖側切返し部の対向する端縁を前身頃側に向かって下がり傾斜にさせれば、着用者は前方の斜め上方に向かって腕をあげやすく人間の主とする運動に適するものである。【選択図】図１
0003135972.tif 000002
【実用新案登録請求の範囲】
【請求項１】
身頃部とこの身頃部に設置された袖部とを備え、前記身頃部を構成する前身頃と後身頃との間に身頃側切り返し部を設けるとともに前記袖部の内側に袖側切返し部を設け、これらの切返し部を脇の下近傍で対向させるとともに前記袖側切返し部の対向部を前記身頃側切り返し部の対向部の外側になる状態で重なるようにしたことを特徴とする衣服。
【請求項２】
前記身頃側切り返し部と前記袖側切返し部の対向する端縁を前身頃側に向かって下がり傾斜させたことを特徴とする請求項１の衣服。
【考案の詳細な説明】
【技術分野】
【０００１】
この考案は衣服に関するものであり、特に、運動用ユニホームとして使用されるものである。
【背景技術】
【０００２】
従来における、この種の衣服にあっては脇の下の部分にメッシュの布巾を設置して運動時における衣服内部の通気性を確保していた。
【０００３】
【特許文献１】特開平９−１７０１０６号公報
【考案の開示】
【考案が解決しようとする課題】
【０００４】
しかしながら、かかる従来の衣服にあっては、通気性のためのメッシュの布巾が衣服の一部として脇の下に張られていたにすぎないため、空気性は確保されても柔軟性に乏しく、この結果、着用者は腕の上げ下げがしにくいという不都合を有した。
【０００５】
さらに、前記「メッシュの布巾」は衣服本体とは別体で構成されていたため、着用者が腕を上げた際にこの部分が特に目立ち、回りの者に対して見栄えがしないとともに違和感を与えざるをえないという不都合を有した。
【０００６】
この考案の課題はかかる不都合を解消することである。
【課題を解決するための手段】
【０００７】
上記課題を達成するために、この考案に係る衣服においては、身頃部とこの身頃部に設置された袖部とを備え、前記身頃部を構成する前身頃と後身頃との間に身頃側切り返し部を設けるとともに前記袖部の内側に袖側切返し部を設け、これらの切返し部を脇の下近傍で対向させるとともに前記袖側切返し部の対向部を前記身頃側切り返し部の対向部の外側になる状態で重なるようにしたものである。
【０００８】
なお、前記身頃側切り返し部と前記袖側切返し部の対向する端縁を前身頃側に向かって下がり傾斜させることもできる。
【考案の効果】
【０００９】
この考案に係る衣服は、上記のように構成されているため、即ち、身頃部とこの身頃部に設置された袖部とを備え、前記身頃部を構成する前身頃と後身頃との間に身頃側切り返し部を設けるとともに前記袖部の内側に袖側切返し部を設け、これらの切返し部を脇の下近傍で対向させるとともに前記袖側切返し部の対向部を前記身頃側切り返し部の対向部の外側になる状態で重なるようにしたため、
袖側切返し部と対向部を身頃側切り返し部との重なった隙間を介して通気性を確保することができ、且つ、袖側切返し部と身頃側切り返し部とはそれらの対向部において離れているため柔軟性に富み、更に、通気部分は単に袖側切返し部と身頃側切り返し部との対向部が重なっているにすぎないため、着用者が腕を上げた際にもこの部分は特に目立たないものである。
【００１０】
よって、この衣服を使用すれば、着用者は、衣服内部を露出することなく脇の下の通気性を確保することができるとともに腕の上げ下げがしやすいものである。
【００１１】
さらに、着用者が腕を上げた際にも脇の下の部分は目立たないため、回りの者に対して違和感を与えることはなく見栄えも向上する。
【００１２】
なお、前記身頃側切り返し部と前記袖側切返し部の対向する端縁を前身頃側に向かって下がり傾斜にさせれば、当該衣服の脇の下部分はこの端縁の垂直方向に柔軟性を発揮しやすいから、着用者は前方の斜め上方に向かって腕をあげやすく人間の主とする運動に適するものである。
【考案を実施するための最良の形態】
【００１３】
この考案に係る  衣服は身頃部とこの身頃部に設置された袖部とを備えている。身頃部は前身頃と後身頃とによって構成されている。前身頃と後身頃との間に身頃側切り返し部を設ける。袖部の内側に袖側切返し部を設ける。これらの切返し部を脇の下近傍で対向させる。前記袖側切返し部の対向部を前記身頃側切り返し部の対向部の外側になる状態で重なるようにする。前記身頃側切り返し部と前記袖側切返し部の対向する端縁を前身頃側に向かって下がり傾斜にすることもできる。
【実施例】
【００１４】
以下、この考案の実施例を説明する。
【００１５】
図１はこの考案に係る衣服の正面図、図２は図１におけるII部の拡大図である。
【００１６】
図１及び図２において、Ａは野球用ユニホーム（この考案の「衣服」に相当する）であり、身頃部10と袖部20と襟部30とを有している。
【００１７】
この身頃部10は主として前身頃11,11 と後身頃12とを縫着することによって形成されている。
【００１８】
51は身頃側切り返し部であり、前記前身頃11,11 と前記後身頃12との境界線によって介在した状態で縫着されている。この身頃側切り返し部51は前記身頃部10の下端から前記衣服Ａの脇の下近傍まで延びている。
【００１９】
また、52は袖側切返し部であり、前記袖部20の内側に設けられている。この袖側切返し部52は前記袖部20の先端から同脇の下近傍まで延び、前記身頃側切り返し部51に対向しているとともに前記袖側切返し部52の対向部521 が前記身頃側切り返し部51の対向部511 の外側になる状態で重なっている。
【００２０】
この重なった部分Ｗは前記前身頃11側に向かって下がり傾斜している。また、重なった部分Ｗは約５．５ｃｍが適している。
【産業上の利用可能性】
【００２１】
着用者は、衣服内部を露出することなく脇の下の通気性を確保することができるとともに腕の上げ下げがしやすい。腕を上げた際にも脇の下の部分は目立たないため、回りの者に対して違和感を与えることはなく見栄えも向上する。身頃側切り返し部と袖側切返し部の対向する端縁を前身頃側に向かって下がり傾斜にさせれば、着用者は前方の斜め上方に向かって腕をあげやすく人間の主とする運動に適する。よって、この利用可能性は高いものである。
【図面の簡単な説明】
【００２２】
【図１】図１はこの考案に係る衣服の正面図である。
【図２】図２は図１におけるII部の拡大図である。
【符号の説明】
【００２３】
Ａ  …  野球用ユニホーム（衣服）
10  …  身頃部
20  …  袖部
30  …  襟部
11  …  前身頃
12  …  後身頃
51  …  身頃側切り返し部
52  …  袖側切返し部
511 …  対向部（身頃側切り返し部の）
521 …  対向部（袖側切返し部の）
Ｗ  …  重なった部分
【図１】
0003135972.tif 000003
【図２】
0003135972.tif 000004